(57)【特許請求の範囲】
【請求項１】
織布、不織布、及び木材の何れかによって粗い空隙が設けられたシート状に形成し植物を根付かせ、種子や肥料を付着させていない基材シートと、
フラットな格子がジグザグ形状または波形状に形成されることにより該基材シートを補強して緑化パネル全体の形状を安定させる補強材と
を備えることを特徴とする緑化パネル。
【請求項２】
水分を吸収して蓄える保水手段をさらに具備することを特徴とする請求項１記載の緑化パネル。
【請求項３】
前記基材シートの破損を防止する基材シート保護手段をさらに具備することを特徴とする請求項１記載の緑化パネル。
【請求項４】
前記基材シートの破損を防止する基材シート保護手段と、
水分を吸収して蓄える保水手段と
をさらに具備することを特徴とする請求項１記載の緑化パネル。
【発明の詳細な説明】
【技術分野】
【０００１】
本発明は、緑化パネルに関するものであり、詳しくは、植物の繁殖を助成するために建築物の壁面や法面等の緑化対象面に設置される緑化パネルに関するものである。
【背景技術】
【０００２】
法面等においては、植物を繁殖させて緑化することが要望される場合がある。そして、従前より、法面等の緑化対象面において植物の繁殖を助成する緑化技術が種々案出されている。例えば、ヤシ殻繊維などによって形成され、植物を根付かせて植物の繁殖を助成する登攀助材といった基材シートを用いる技術である。
【０００３】
【特許文献１】特許第３６０２９４８号公報
【発明の開示】
【発明が解決しようとする課題】
【０００４】
ところで、基材シートは、薄くて軟弱であり、取扱い難い。また、広い法面等に対応させるために幅広で長尺状に形成されているのが通常であり、この点からも取扱い難い。しかも、小さな建築物の壁面の一部等、緑化対象面が狭い場合には、幅広で長尺状の基材シートを緑化対象面の寸法に合わせて切断して設置しなければならず、設置作業も煩わしい。
【０００５】
本発明は、上記実状を鑑みてなされたものであり、取扱い易く、しかも、緑化対象面に設置し易い緑化パネルの提供を課題とする。
【課題を解決するための手段】
【０００６】
本発明の主要な手段は、
「織布、不織布、及び木材の何れかによって粗い空隙が設けられたシート状に形成し植物を根付かせ、種子や肥料を付着させていない基材シートと、
フラットな格子がジグザグ形状または波形状に形成されることにより該基材シートを補強して緑化パネル全体の形状を安定させる補強材と
を備えることを特徴とする緑化パネル」
である。
【０００７】
ここで、「基材シート」の材料としては、ヤシ殻繊維等の天然繊維や化学繊維等の人工繊維等の適宜繊維を素材とする織布または不織布、コルク等の木材等、植物が根付き易い適宜の材料を採用している。
【０００８】
また、「補強材」は、金属や樹脂等の適宜素材によって適度な強度を有するものとして形成されて、基材シートを補強して緑化パネル全体の形状を安定させることができるものであればよく、基材シートの表面に一体化されたものであってもよく、基材シートに埋設されたものであってもよい。
【０００９】
上記構成の緑化パネルは、基材シートに補強材を一体化して全体をパネル状としたものであり、軟弱な基材シート単体よりも取扱い易く、また、幅広で長尺状の従来の基材シートよりも設置対象面に設置し易いものである。また、少数を連設したり多数を連設することで、狭い緑化対象面にも広い緑化対象面にも的確に対応することができ、汎用性に優れるものである。
【００１０】
よって、上記構成によれば、取扱い易く、しかも、緑化対象面に設置し易い緑化パネルを提供することができる。
【００１１】
前述の主要な手段において、
「前記基材シートの破損を防止する基材シート保護手段をさらに具備することを特徴とする緑化パネル」
とするのが好適である。
【００１２】
緑化パネルは、基材シートを露呈した状態で緑化対象面に設置されて、長期間、風雨に晒されるものである。よって、ただ単に基材シートを補強材によって補強してパネル状とした緑化パネルでは、植物が十分に繁殖する前に、基材シートに、型崩れ、破れ、素材の部分的な脱落等の破損が生じる虞がある。
【００１３】
これに対し、上記のように構成された緑化パネルでは、基材シート保護手段によって基材シートの破損が防止されるため、基材シートが風雨に晒されても破損し難い。よって、上記構成によれば、風雨に晒されても基材シートが破損し難い緑化パネルを提供することができる。
【００１４】
なお、「基材シート保護手段」としては、基材シートとは別部材として構成され、基材シートの表面を被って基材シートの表面を保護するネットや適度に穴が開いたシート等の保護部材を例示できる。また、生分解樹脂剤等によって構成され、植物の根によって侵食可能に基材シート自体の表面をコーティングするコーティング剤といった保護剤も例示できる。ここで、保護剤としては、コーティング剤の他、基材シートが繊維状や粒状の素材を絡めて形成されており、多数の空隙を有するものである場合には、基材シートの素材の間隙が確保された状態で基材シートの素材同士を接着する接着剤を例示することもできる。そして、保護剤によって基材シート自体を破損し難くする手法は、基材シートの保護加工として捉えることができる。
【００１５】
前述の主要な手段において、
「水分を吸収して蓄える保水手段をさらに具備することを特徴とする緑化パネル」
とするのも好適である。
【００１６】
基材シートは、植物の根が吸着し易いように粗い空隙が設けられてなるのが通常の形態であり、それ自体では保水能力に乏しい。よって、ただ単に基材シートを補強材によって補強してパネル状とした緑化パネルでは、晴天が続く環境下等において水分不足が生じ易く、植物の繁殖を良好に助成することができなくなる虞がある。
【００１７】
これに対し、上記のように構成された緑化パネルでは、保水手段によって水が蓄えられるため、晴天が続いた環境下等においても水分不足が生じ難い。よって、上記構成によれば、水分不足が生じ難く、植物の繁殖を良好に助成することができる緑化パネルを提供することができる。
【００１８】
なお、「保水手段」としては、木綿繊維、麻繊維等の天然繊維や化学繊維等の人工繊維等の適宜繊維を素材とする織布または不織布、スポンジ等によってマット状やシート状等の適宜形状に形成され、基材シートよりも細かい多数の空隙を有し、基材シートよりも保水能力が高い保水材を例示することができる。また、保水手段は、保水材自体から構成されたものに限らず、適宜の保水材の小片や、それ自体が保水物質である吸水ポリマー等の保水剤を、透水性を有する袋や容器に詰めてなる保水体を例示することもできる。そして、このように基材シートとは別体の部材として構成された保水材や保水体は、保水部材として捉えることができ、保水部材を緑化パネルに設ける場合は、保水部材を、基材シートの裏面の全面または部分的に添設したり、基材シートの内部の全面または部分的に埋設すればよい。
【００１９】
また、保水手段は、基材シートとは別体の保水部材から構成するに限らず、基材シートに吸水ポリマー等の保水物質を混入したり、保水性のある樹脂等を接着剤として基材シートの素材を接着する等、基材シート自体の保水機能を高めるようにした手段であってもよい。この場合には、上記保水物質や上記接着剤によって保水手段が構成されることになり、このように保水物質や接着剤によって基材シート自体の保水能力を高める手法を保水加工と捉えることができる。
【００２０】
前述の主要な手段において、
「前記基材シートの破損を防止する基材シート保護手段と、
水分を吸収して蓄える保水手段と
をさらに具備することを特徴とする緑化パネル」
とするのが、より好適である。
【００２１】
上記の緑化パネルは、前述した好適な緑化パネルの構成を組合わせたものであり、「基材シート」、「補強材」、「基材シート保護手段」及び「保水手段」の各構成要件の具体的な材料等については、前述の各構成と同様である。
【００２２】
そして、上記のように構成された緑化パネルでは、基材シート保護手段によって基材シートの破損が防止されるため、基材シートが風雨に晒されても破損し難い。また、保水手段によって水が蓄えられるため、水分不足が生じ難い。よって、上記構成によれば、風雨に晒されても基材シートが破損し難く、且つ、水分不足が生じ難い緑化パネルを提供することができる。
【００２３】
なお、基材シート保護手段が基材シートとは別体の保護部材によって構成されており、保水手段も基材シートとは別体の保水部材によって構成されている場合には、保水部材を、基材シートと保護部材との間に設置してもよく、また、保護部材の内部に設置してもよい。一方、保護部材を、基材シートと保水部材との間に設置してもよく、また、保水部材の内部に設置してもよい。
【００２４】
また、保護部材自体に保水加工を施してもよく、保水部材自体に保護加工を施してもよい。さらには、基材シート自体に、保護加工及び保水加工を施してもよい。
【発明の効果】
【００２５】
上述した通り、本発明によれば、取扱い易く、しかも、緑化対象面に設置し易い緑化パネルを提供することができる。
【発明を実施するための最良の形態】
【００２６】
本発明に係る緑化パネルの実施形態としての例を、以下、図面を用いて詳細に説明する。なお、以下の各例においては、１ｍ四方のパネル状とした緑化パネルを示すが、全体の大きさは、適宜変更することができる。
【００２７】
また、本発明に係る緑化パネルは、建築物の壁面、法面、護岸壁や橋桁等の各種土木構造物の表面、道路沿いのガードレールや防音壁等の道路設備の表面等、植物を繁殖させて緑化したい適宜の緑化対象面に、単体で設置されたり、複数が連設して設置されるものである。また、緑化の対象物に取付けられるばかりでなく、ガーデニング用のラティスや家周りの塀を構成する資材として、緑化の対象面に設置することもできるものである。
【００２８】
＜実施例１＞
図１に、本発明に係る緑化パネル１０の一例を示す。この緑化パネル１０は、基材シート２０、基材シート保護手段としての保護ネット３０、及び、補強材５０が順次積層されてなり、要所をＣ字金具等の適宜の止め具によって連結することで、全体が１枚のパネルとなるように構成されたものである。
【００２９】
基材シート２０は、ヤシ殻繊維等の天然繊維や化学繊維等の人工繊維等の適宜繊維を素材とする織布または不織布、コルク等の木材等によって、５ｍｍ厚程度のシート状に形成されたものである。なお、基材シート２０を構成する材料としては、これに限らず、植物が根付き易い適宜の材料を採用することができる。
【００３０】
保護ネット３０は、木綿繊維や麻繊維等の天然繊維や化学繊維等の人工繊維等の適宜繊維を素材とする撚糸によって５ｍｍ目程度の網状に形成されたものである。なお、保護ネット３０を構成する材料としては、樹脂や金属の線材を採用することもできる。
【００３１】
補強材５０は、金属線材を溶接して、保護ネット３０の網目よりも目の大きな格子状に形成されたものである。なお、補強材５０を構成する材料としては、樹脂や木材を採用することもできる。
【００３２】
緑化パネル１０は、上述のように構成された基材シート２０、保護ネット３０及び補強材５０からなるものであり、具体的には、基材シート２０の表面全面に保護ネット３０を添設し、保護ネット３０の表面全面に補強材５０を一体化してなるものである。
【００３３】
ここで、基材シート２０及び保護ネット３０だけでは軟弱であり、パネルとして全体形状が安定しないのであるが、補強材５０を一体化することで、パネルとしての全体形状が安定する。
【００３４】
本例では、フラットな格子を折り曲げて山・谷が順次繰返されたジグザグ形状となっており、フラットな格子よりも強度に優れる形態としてある。なお、補強材５０を波形状とすることで、強度の向上を図ることもできる。
【００３５】
基材シート２０及び保護ネット３０は、補強材５０のジグザグ形状に倣って補強材５０の裏面側に添設されているのであるが、基材シート２０の表面側に保護ネット３０が配置されていることから、緑化パネル１０が風雨に晒されても、基材シート２０の素材が簡単には脱落したりせず、また、基材シート２０の表面が破損し難く、長期間に渡って、基材シート２０の表面形状を安定させることができる。
【００３６】
また、緑化パネル１０の設置に際して、または設置後に、工具や石等の種々の物品が緑化パネル１０の表面にぶつかっても、保護ネット３０によって基材シート２０が保護されているため、基材シート２０が破損し難い。
【００３７】
なお、基材シート２０の裏面にも保護ネット３０を添設すると、緑化パネル１０の設置の際に基材シート２０の裏側が破損することを防止でき、好適である。また、保護ネット３０の表裏両面に基材シート２０を添設してもよい。この場合には、保護ネット３０によって、緑化パネル１０の表側から与えられる影響に対して、裏側の基材シート２０を保護することができ、緑化パネル１０の裏側から与えられる影響に対して、表側の基材シート２０を保護することができる。
【００３８】
以上、緑化パネル１０の一例を示したが、基材シート保護手段としては、保護ネット３０のように基材シート２０とは別体に構成された保護部材を用いるに限らない。例えば、生分解樹脂剤等によって構成され、植物の根によって侵食可能に基材シート２０の表面をコーティングするコーティング剤といった保護剤を用いた保護加工であってもよい。また、保護剤としては、コーティング剤の他、基材シート２０が繊維状や粒状の素材を絡めて形成されており、多数の空隙を有するものである場合には、基材シート２０の素材の間隙が確保された状態で基材シート２０の素材同士を接着する接着剤も例示することができる。
【００３９】
＜実施例２＞
図２に、本発明に係る緑化パネル１０の別の例を示す。この緑化パネル１０は、保水手段としての保水マット４０、基材シート２０、及び、補強材５０が順次積層されてなり、要所をＣ字金具等の適宜の止め具によって連結することで、全体が１枚のパネルとなるように構成されたものである。
【００４０】
保水マット４０は、木綿繊維、麻繊維等の天然繊維や化学繊維等の人工繊維等の適宜繊維を素材とする織布または不織布、スポンジ等、後述する基材シート２０よりも細かい多数の空隙を有して水分を良好に保水する保水材や、吸水ポリマー等の保水物質から形成された保水材によって、基材シート２０よりも厚い１０ｍｍ厚程度のマット状に形成されたものである。なお、保水マット４０を構成する材料としては、これに限らず、水分を良好に吸収して蓄える適宜の材料を採用することができる。
【００４１】
基材シート２０は、ヤシ殻繊維等の天然繊維や化学繊維等の人工繊維等の適宜繊維を素材とする織布または不織布、コルク等の木材等によって、５ｍｍ厚程度のシート状に形成されたものである。なお、基材シート２０を構成する材料としては、これに限らず、植物が根付き易い適宜の材料を採用することができる。
【００４２】
補強材５０は、金属線材を溶接して、格子状に形成されたものである。なお、補強材５０を構成する材料としては、樹脂や木材を採用することもできる。
【００４３】
緑化パネル１０は、上述のように構成された保水マット４０、基材シート２０及び補強材５０からなるものであり、具体的には、保水マット４０の表面全面に基材シート２０を添設し、基材シート２０の表面全面に補強材５０を一体化してなるものである。
【００４４】
ここで、保水マット４０及び基材シート２０だけでは軟弱であり、パネルとしての全体形状が安定しないのであるが、補強材５０を一体化することで、パネルとしての全体形状が安定する。
【００４５】
本例では、フラットな格子を折り曲げて山・谷が順次繰返されたジグザグ形状となっており、フラットな格子よりも強度に優れる形態としてある。なお、補強材５０を波形状とすることで、強度の向上を図ることもできる。
【００４６】
保水マット４０及び基材シート２０は、補強材５０のジグザグ形状に倣って補強材５０の裏面側に添設されているのであるが、基材シート２０の裏面側に保水マット４０が配置されていることから、保水マット４０によって水分が蓄えられ、たとえば晴天が続いて水不足となった環境下においても、保水マット４０から基材シート２０に水分が浸透したり、基材シート２０に根付いた植物の根が保水マット４０に到達することで、基材シート２０に根付いた植物に水分が提供される。よって、緑化パネル１０自体が水分不足になり難く、乾燥した環境下においても植物の繁殖を良好に助成することができる。
【００４７】
なお、保水マット４０の表裏両面に基材シート２０を添設して、基材シート２０全体の内部に保水マット４０が埋設されるようにしてもよい。この場合には、緑化パネル１０を設置した設置物の表面が保水マット４０に直接、接触しないことから、保水マット４０に蓄えられた水分が設置物へと移行し難い。よって、長期間に渡って保水マット４０に水分を蓄えさせることができる。
【００４８】
以上、緑化パネル１０の別の例を示したが、保水手段としては、保水マット４０に限らない。例えば、織布または不織布、スポンジ等、基材シートよりも細かい多数の空隙を有し、基材シート２０よりも保水能力が高い保水材の小片や、それ自体が保水物質である吸水ポリマー等の保水剤を、透水性を有する袋や容器に詰めてなる保水体であってもよい。さらに、上述したように基材シート２０とは別体の保水部材に限らず、基材シート２０に吸水ポリマー等の保水物質を混入したり、保水性のある樹脂等を接着剤として基材シート２０の素材を接着する等、基材シート２０自体の保水機能を高めるようにした保水加工によって保水手段を構成してもよい。
【００４９】
ところで、緑化パネル１０に保水手段を付加すると、保水手段の重量や、保水手段に蓄えられた水分の重量によって、緑化パネル１０全体の重量が増加するため、基材シート２０が変形し易くなる。これに対して、本例では、基材シート２０に一体化された補強材５０を具備するため、保水手段によって重量が増加しても、補強材５０によって基材シート２０の形状を安定させることができる。
【００５０】
＜実施例３＞
図３に、本発明に係る緑化パネル１０のさらに別の例を示す。この緑化パネル１０は、保水手段としての保水マット４０、基材シート２０、基材シート保護手段としての保護ネット３０、及び、補強材５０が順次積層されてなり、要所をＣ字金具等の適宜の止め具によって連結することで、全体が１枚のパネルとなるように構成されたものである。なお、保水手段（保水マット４０）、基材シート２０、基材シート保護手段（保護ネット３０）、及び、補強材５０の各構成は、前述した各例と同様であり、説明は省略する。
【００５１】
以上の実施例１〜３においては、補強材５０の裏面側の全面に基材シート２０を添設した例を示したが、図４に示すように、補強材５０に対する基材シート２０の配置パターンを適宜変更することができる。なお、図４では、補強材５０に対して基材シート２０が設けられた部分を斜線にて示す。また、図４においては、補強材５０の山・谷が上下方向（縦方向）に延設された状態（補強材５０の山・谷が左右方向（横方向）に繰返された状態）を示し、この状態にて緑化パネル１０が緑化対象面に設置される例を示すが、緑化パネル１０としては、補強材５０の山・谷が横方向に延設された状態（補強材５０の山・谷が縦方向に繰返された状態）にて使用することもできる。
【００５２】
図４において、（ａ）は、補強材５０の裏面側の全面に基材シート２０を添設した例であるが、（ｂ）に示すように、横方向に間隔をおいて複数の基材シート２０を縦方向に延設してもよく、（ｃ）に示すように、縦方向に間隔をおいて複数の基材シート２０を横方向に延設してもよい。さらには、（ｄ）に示すように、複数の小さな基材シート２０を点在するように配置してもよい。
【００５３】
緑化パネルによって繁殖が助成される植物としてツタ科の植物を代表的に挙げることができるが、ツタ科の植物は、吸着型（成長する茎から根を出して繁殖するタイプ）と、巻き蔓型（蔓を巻いて繁殖するタイプ）とに大別される。ここで、本発明に係る緑化パネルでは、吸着型の植物であれば、基材シート２０に根付いて繁殖するのであるが、巻き蔓型の植物であっても、補強材５０に蔓を巻いて繁殖することができるのであるが、図４（ｂ）〜（ｄ）のように、補強材５０に対して基材シート２０がない部分をあえて設けることで（換言すれば、補強材に対して基材シートを部分的に設けることで）、巻き蔓型の植物が蔓を巻き易いような空隙を確保することができ、巻き蔓型の植物の繁殖を良好に助成することができる。
【００５４】
また、補強材５０の全面に基材シート２０を設ける場合でも、図５に示すように、基材シート２０に、補強材５０の形状に合致させて補強材５０に添わせる部分（以下「添設部分」という）と、補強材５０との間に間隙が形成されるように離間させる部分（以下「離間部分」という）とを設けるのが好適である。添設部分によって主に吸着型の植物の繁殖を助成し、離間部分によって、吸着型及び巻き蔓型の各植物の繁殖を助成することができるからである。
【００５５】
一方、保水手段については、基材シート２０の全面に添設される全面が平坦となった１枚のマット状のものに限らない。例えば図６に示すように、山・谷にジグザグとなった基材シート２０の裏側の凹部に収容可能な形状の複数の保水マット４０（保水材や保水体）であってもよい。ここで、保水マット４０（保水材や保水体）を基材シート２０の凹部に収容させるためには、保水マット４０（保水材や保水体）を、基材シート２０の凹部に合致させた形状に予め形成したり、基材シート２０の凹部に合致するように変形可能に構成すればよい。このようにすることで、緑化パネル１０全体の厚みを薄くすることができる。
【００５６】
また、基材シート２０の全面に保水マット４０（保水材や保水体）を設けるに限らず、適宜、基材シート２０に対して、保水マット４０（保水材や保水体）がない部分を設けてもよい（換言すれば、基材シート２０に対して保水マット４０（保水材や保水体）を部分的に設けてもよい）。このようにすることで、緑化パネル１０全体の軽量化を図ることができる。
【００５７】
以上、本発明に係る緑化パネル１０の例を示したが、各例の緑化パネル１０において、金属や木材等によって板状、棒状、パイプ状等の適宜形状に形成された外枠を補強材５０の外縁部分に設けると、緑化パネル１０全体の強度をさらに向上させることができる。また、外枠を設けることで、緑化パネル１０を設置の対象物に外枠によって固定することができ、緑化パネル１０を設置し易くすることができる。さらに、外枠を設けることで、複数の緑化パネル１０を連設する場合の連結構造として、隣接する緑化パネル１０同士を外枠によって堅固に連結する構造を採用することができる。
【図面の簡単な説明】
【００５８】
【図１】本発明に係る緑化パネルの一例を示す分解斜視図である。
【図２】本発明に係る緑化パネルの別の例を示す分解斜視図である。
【図３】本発明に係る緑化パネルのさらに別の例を示す分解斜視図である。
【図４】補強材に対する基材シートの種々の配置パターンを示す正面図である。
【図５】補強材に対する基材シートの配置の別例を示す説明図である。
【図６】基材シートに対する保水マット（保水材や保水体）の配置の別例を示す説明図である。
【符号の説明】
【００５９】
１０  緑化パネル
２０  基材シート
３０  保護ネット（基材シート保護手段）
４０  保水マット（保水手段）
５０  補強材
【図１】
0005431681.tif 000002
【図２】
0005431681.tif 000003
【図３】
0005431681.tif 000004
【図４】
0005431681.tif 000005
【図５】
0005431681.tif 000006
【図６】
0005431681.tif 000007